(57)【特許請求の範囲】
【請求項１】
読取装置が、前記読取装置の無線通信距離の範囲内の身体装着デバイスを検出するステップであって、前記身体装着デバイスは、センサデータを取得するように構成されたセンサと、前記センサによって取得された取得済みセンサデータを格納するように構成されたデータ記憶部とを備える、ステップと、
前記読取装置が、前記検出された身体装着デバイスから第１組のデータを無線で検索するステップと、
前記読取装置が、前記検索された第１組のデータを使用して、前記身体装着デバイスが一度の通信セッションで前記取得済みセンサデータを前記読取装置に送信可能であることを決定するステップと、
前記検索された第１組のデータを使用して前記身体装着デバイスが一度の通信セッションで前記取得済みセンサデータを前記読取装置に送信可能であることを決定するステップに応答して、前記読取装置が、前記検出された身体装着デバイスから第２組のデータを検索するステップであって、前記第２組のデータが前記取得済みセンサデータを含むステップと、
を含む、方法。
【請求項２】
前記身体装着デバイスは、眼球装着デバイスであり、
前記眼球装着デバイスは、透明材料をさらに備え、前記透明材料は、角膜表面上に取り外し可能に装着されるように構成された凹装着面と、前記装着面と反対の表面とを備え、前記装着面と反対の表面は前記凹面が前記角膜表面上に装着されている時に、眼瞼の動きに適合するように構成された凸面を備える、請求項１に記載の方法。
【請求項３】
前記第１組のデータは、前記身体装着デバイスに蓄積されたエネルギの量の指標を含む、請求項１に記載の方法。
【請求項４】
前記身体装着デバイスはバッテリを備え、前記第１組のデータは、前記バッテリに蓄積されたエネルギの量の指標を含む、請求項１に記載の方法。
【請求項５】
前記身体装着デバイスは光電池を備え、前記第１組のデータは、前記光電池から利用可能なエネルギの量の指標を含む、請求項１に記載の方法。
【請求項６】
前記第１組のデータは、前記取得済みセンサデータの量の指標を含む、請求項１に記載の方法。
【請求項７】
前記取得済みセンサデータは、分析物濃度を示すデータを含む、請求項５に記載の方法。
【請求項８】
前記読取装置が、前記検索された第１組のデータを使用して、前記身体装着デバイスが一度の通信セッションで前記取得済みセンサデータを前記読取装置に送信可能であることを決定するステップは、前記身体装着デバイスが閾値量のエネルギを蓄積していることを決定することを含む、請求項１に記載の方法。
【請求項９】
前記読取装置が、前記検索された第１組のデータを使用して、前記身体装着デバイスが一度の通信セッションで前記取得済みセンサデータを前記読取装置に送信可能であることを決定するステップは、前記身体装着デバイスが閾値量のセンサデータを格納していないことを決定することを含む、請求項１に記載の方法。
【請求項１０】
前記読取装置が、前記検索された第１組のデータを使用して、前記身体装着デバイスが一度の通信セッションで前記取得済みセンサデータを前記読取装置に送信可能であることを決定するステップは、（ｉ）前記身体装着デバイスが閾値量のエネルギを蓄積しており、かつ、（ｉｉ）前記身体装着デバイスが閾値量のセンサデータを格納していない、ということを決定することを含む、請求項１に記載の方法。
【請求項１１】
読取装置であって、
無線通信インタフェースと、
プロセッサと、
前記プロセッサによって実行されると、前記読取装置に一組の機能を実行させる命令を含むコンピュータ可読媒体と、
を備え、
前記一組の機能は、
前記読取装置の無線通信距離の範囲内の身体装着デバイスを検出するステップであって、前記身体装着デバイスは、センサデータを取得するように構成されたセンサと、前記センサによって取得された取得済みセンサデータを格納するように構成されたデータ記憶部とを備える、ステップと、
前記読取装置が、前記無線通信インタフェースを使用して、前記検出された身体装着デバイスから第１組のデータを無線で検索するステップと、
前記検索された第１組のデータを使用して、前記身体装着デバイスが一度の通信セッションで前記取得済みセンサデータを前記読取装置に送信可能であることを決定するステップと、
前記検索された第１組のデータを使用して前記身体装着デバイスが一度の通信セッションで前記取得済みセンサデータを前記読取装置に送信可能であることを決定するステップに応答して、前記読取装置が、前記無線通信インタフェースを使用して、前記検出された身体装着デバイスから第２組のデータを検索するステップであって、前記第２組のデータが前記取得済みセンサデータを含むステップと、
を含む、読取装置。
【請求項１２】
前記身体装着デバイスは、眼球装着デバイスであり、
前記眼球装着デバイスは、透明材料をさらに備え、前記透明材料は、角膜表面上に取り外し可能に装着されるように構成された凹装着面と、前記装着面と反対の表面とを備え、前記装着面と反対の表面は前記凹面が前記角膜表面上に装着されている時に、眼瞼の動きに適合するように構成された凸面を備える、請求項１１に記載の読取装置。
【請求項１３】
前記第１組のデータは、前記身体装着デバイスに蓄積されたエネルギの量の指標を含む、請求項１１に記載の読取装置。
【請求項１４】
前記第１組のデータは、前記取得済みセンサデータの量の指標を含む、請求項１１に記載の読取装置。
【請求項１５】
前記取得済みセンサデータは、分析物濃度を示すデータを含む、請求項１４に記載の読取装置。
【請求項１６】
前記読取装置が、前記検索された第１組のデータを使用して、前記身体装着デバイスが一度の通信セッションで前記取得済みセンサデータを前記読取装置に送信可能であることを決定するステップは、前記身体装着デバイスが閾値量のエネルギを蓄積しているということを決定することを含む、請求項１１に記載の読取装置。
【請求項１７】
前記読取装置が、前記検索された第１組のデータを使用して、前記身体装着デバイスが一度の通信セッションで前記取得済みセンサデータを前記読取装置に送信可能であることを決定するステップは、前記身体装着デバイスが閾値量のセンサデータを格納していないということを決定することを含む、請求項１１に記載の読取装置。
【発明の詳細な説明】
【背景技術】
【０００１】
[0001]  本章に記載される題材は、特段の記載がない限り、本出願の請求の範囲に対する従来技術ではなく、本章に含まれることにより従来技術と認められるものではない。
【０００２】
[0002]  コンタクトレンズデバイスは、涙膜内のグルコース等の分析物を測定するためのセンサを備え得る。センサは、作用電極と、対向および／または参照電極とを備えた電気化学センサであり得る。分析物に作用する電気化学反応により、この分析物の濃度に関連した電流を生成するように、作用電極から、および／または作用電極に向けて、電子が移動し得る。場合によっては、分析物との選択的な電気化学反応を容易にするために、作用電極付近に試薬を置くことができる。
【０００３】
[0003]  コンタクトレンズデバイスは、外部読取装置にセンサ読み取り値を伝達することもできる。例えば、コンタクトレンズは、外部読取装置からの無線周波数放射を受信して、センサ読み取り値に基づいて後方散乱信号を生成するように構成されたアンテナを備え得る。
【発明の概要】
【０００４】
[0004]  本開示の一態様において、方法が開示される。この方法は、読取装置が、この読取装置の無線通信距離の範囲内の眼球装着デバイスを検出するステップであって、眼球装着デバイスは、角膜表面上に取り外し可能に装着されるように構成された凹装着面を有する透明材料を備える、ステップと、検出された眼球装着デバイスから第１組のデータを無線で検索するステップと、検索された第１組のデータを使用して、条件が満たされていることを決定するステップと、検索された第１組のデータを使用して条件が満たされていることを決定するステップに応答して、検出された眼球装着デバイスから第２組のデータを検索するステップと、を含む。
【０００５】
[0005]  本開示の別の態様において、読取装置が開示される。この読取装置は、無線通信インタフェースと、プロセッサと、プロセッサによって実行されると、読取装置に一組の機能を実行させる命令を含むコンピュータ可読媒体と、を備える。一組の機能は、読取装置の無線通信距離の範囲内の眼球装着デバイスを検出するステップであって、眼球装着デバイスは、角膜表面上に取り外し可能に装着されるように構成された凹装着面を有する透明材料を備える、ステップと、無線通信インタフェースを使用して、検出された眼球装着デバイスから第１組のデータを無線で検索するステップと、検索された第１組のデータを使用して、条件が満たされていることを決定するステップと、検索された第１組のデータを使用して条件が満たされていることを決定するステップに応答して、無線通信インタフェースを使用して、検出された眼球装着デバイスから第２組のデータを検索するステップと、を含む。
【０００６】
[0006]  本開示のさらに別の態様において、別の方法が開示される。この方法は、第１読取装置が、この第１読取装置の無線通信距離の範囲内の眼球装着デバイスを検出するステップであって、眼球装着デバイスは、角膜表面上に取り外し可能に装着されるように構成された凹装着面を有する透明材料を備える、ステップと、第１読取装置が、検出された眼球装着デバイスから第１組のデータを無線で検索するステップと、第１読取装置が、検索された第１組のデータをデータ収集デバイスに送信するステップと、第２読取装置が、この第２読取装置の無線通信距離の範囲内の眼球装着デバイスを検出するステップと、第２読取装置が、検出された眼球装着デバイスから第２組のデータを無線で検索するステップと、第２読取装置が、検索された第２組のデータをデータ収集デバイスに送信するステップと、を含む。
【０００７】
[0007]  本開示のさらに別の態様において、読取装置の無線通信距離の範囲内の眼球装着デバイスを検出するステップであって、眼球装着デバイスは、角膜表面上に取り外し可能に装着されるように構成された凹装着面を有する透明材料を備える、ステップと、検出された眼球装着デバイスから第１組のデータを無線で検索するステップと、検索された第１組のデータを使用して、条件が満たされていることを決定するステップと、検索された第１組のデータを使用して条件が満たされていることを決定するステップに応答して、検出された眼球装着デバイスから第２組のデータを検索するステップと、の手段が開示される。
【０００８】
[0008]  これらの態様、ならびに、他の態様、効果、および代替物は、以下の詳細な説明を読み、必要に応じて添付の図面を参照することにより、当業者に明らかになるであろう。
【図面の簡単な説明】
【０００９】
【図１】[0009]  図１は、身体装着デバイスおよび外部読取装置を備えるシステムの一例を示すブロック図である。
【図２Ａ】[0010]  図２Ａは、眼球装着デバイスの一例を示す底面図である。
【図２Ｂ】[0011]  図２Ｂは、図２Ａに示した眼球装着デバイスの例を示す側面図である。
【図２Ｃ】[0012]  図２Ｃは、図２Ａおよび図２Ｂに示した眼球装着デバイスの例が眼球の角膜表面に装着されている状態を示す側断面図である。
【図２Ｄ】[0013]  図２Ｄは、眼球装着デバイスの例が図２Ｃに示したように装着されている時に、透明材料に埋め込まれた基板と、光源と、放出光とを強調して示す拡大側断面図である。
【図３】[0014]  図３は、複数の外部読取装置およびデータ収集デバイスを備えるシステムの一例を示すブロック図である。
【図４】[0015]  図４は、方法の一例を示すブロック図である。
【図５】[0016]  図５は、別の方法の一例を示すブロック図である。
【図６】[0017]  図６は、コンピュータ可読媒体の一例を示すブロック図である。
【発明を実施するための形態】
【００１０】
Ｉ．概要
[0018]  以下の詳細の説明は、添付の図面を参照して、開示されるシステムおよび方法の多様な特徴および機能を説明する。図面において、特段の記載がない限り、同様の符号は同様のコンポーネントを特定する。特段の記載がない限り、または文脈上別段の指定がない限り、「１つの、ある（“a”または“an”）」といった言及はいずれも、「少なくとも１つの」を意味し、「その（“the”）」といった言及はいずれも、「その少なくとも１つ」を意味する。本明細書に記載される例示のシステムおよび方法は、限定を意図したものではない。当業者には、開示されたシステムおよび方法の所定の態様が多種多様な構成で配置および組み合わせることができ、それらの全てが本明細書内で意図されていることが容易に理解されるであろう。
【００１１】
[0019]  電子デバイスは、データを取得し、他のデバイスもしくは人々と通信するために利用することができる。電子デバイスは、身体装着デバイスであり得る。一例の実施形態において、身体装着デバイスは、眼球に装着可能な眼球装着デバイスである。他の例では、身体装着デバイスは、歯、皮膚、または他の身体部分に装着されてもよい。身体装着デバイスは、回路、センサ、およびアンテナを備え、これらの全てが生体適合性材料内に埋め込まれた基板上に位置付けられている。回路は、センサを動作させてセンサデータを取得することができる。さらに、回路は、アンテナを動作させて、外部読取装置に向けて、および／または外部読取装置から、情報を無線で伝達することができる。一般的に、身体装着デバイスは、アンテナのインピーダンスを外部読取装置によって感知可能な態様で変調することにより、情報を送信することができる。
【００１２】
[0020]  いくつかの例において、生体適合性材料は、コンタクトレンズと同様の概ねドーム状のレンズの形態をした透明材料である。基板は、生体適合性材料の周辺付近に埋め込まれ、視覚を妨げるのを避けることができる。センサは、角膜の表面付近から、および／または、生体適合性材料と角膜表面との間に介在する涙液から臨床的に関連性のある読み取り値を生成するべく、角膜表面に面するように内向きに基板上に配置され得る。それに加えて、またはその代わりに、センサは、角膜表面とは反対側の、大気に曝された生体適合性材料の表面を被覆する涙液の層に面するように外向きに基板上に配置されてもよい。
【００１３】
[0021]  いくつかの例において、センサは、生体適合性材料内に完全に埋め込まれる。例えば、作用電極および参照電極を備えた電気化学センサは、生体適合性材料内に埋め込まれ、このセンサ電極が、角膜に装着されるように構成された生体適合性表面から１０マイクロメートル未満になるように位置付けられ得る。センサは、レンズ材料を通ってセンサ電極へと拡散する分析物の濃度を示すデータを生成することができる。他の例では、生体適合性材料はチャネルを含み、分析物を含む流体は、このチャネルを通ってセンサに到達することができる。
【００１４】
[0022]  涙液は、健康状態を診断するために使用可能な、多様な無機電解質（例えば、Ｃａ２＋、Ｍｇ２＋、Ｃｌ−）、有機成分（例えば、グルコース、乳酸、タンパク質、脂質等）等を含む。身体装着デバイスは、これらの分析物の１つ以上測定するように構成され、それにより健康状態を診断および／または監視するのに有益な便利な非侵襲性プラットフォームを提供することができる。例えば、身体装着デバイスは、グルコースを感知するように構成され、糖尿病患者個人が自身の血糖値を測定／監視するのに使用され得る。いくつかの実施形態において、センサは、追加の状態または分析物レベル以外の状態（例えば、光、温度、および電流測定値）を測定するように構成されてもよい。
【００１５】
[0023]  場合によっては、身体装着デバイスは、センサデータを断続的または定期的に取得するように構成され得る。それに加えて、またはその代わりに、身体装着デバイスは、外部読取装置からの適切な要求の受信に応答して、センサデータを取得するように構成されてもよい。身体装着デバイスは、この身体装着デバイス内に含まれるメモリに取得済みセンサデータを格納し、格納されたセンサデータを後に外部読取装置に送信することができるようにも構成され得る。さらに、読取装置は、身体装着デバイスが充電を要するといった（例えば、ディスプレイ画面上に提示され得る）警告を生成し得る。
【００１６】
[0024]  上述したように、身体装着デバイスの回路は、アンテナを動作させて、外部読取装置に向けて、および／または、外部読取装置から、情報を無線で伝達することができる。例えば、身体装着デバイスが外部読取装置の無線通信距離の範囲内に存在する場合、回路は、アンテナを動作させて外部読取装置から情報を受信することができる。一例において、そのような情報は、身体装着デバイスが外部読取装置の無線通信距離の範囲内に存在するか否かを問い合わせるメッセージ（「問い合わせメッセージ」）を含み得る。別の例では、そのような情報は、身体装着デバイスにセンサデータを取得すること、および／または、取得済みセンサデータを外部読取装置に転送することを要求するメッセージを含み得る。
【００１７】
[0025]  同様に、外部読取装置が身体装着デバイスの無線通信距離の範囲内に存在する場合、回路は、アンテナを動作させて、情報を外部読取装置に送信することができる。一例において、そのような情報は、問い合わせメッセージの受信を確認応答する、および／または、身体装着デバイスを識別するメッセージ（「確認応答メッセージ」）を含み得る。このように、場合によって、外部読取装置からの問い合わせメッセージの受信に応答して、身体装着デバイスは外部読取装置に確認応答メッセージを送信することができる。これにより、外部読取装置は、身体装着デバイスの存在を検出することができる。
【００１８】
[0026]  別の例では、身体装着デバイスによって外部読取装置に送信された情報は、身体装着デバイス内に格納されたセンサデータを含み得る。場合によっては、身体装着デバイスは、外部読取装置からの適切な要求の受信に応答して、格納されたセンサデータ外部読取装置に送信することができる。それに加えて、またはその代わりに、身体装着デバイスは、格納されたセンサデータを外部読取装置に断続的または定期的に送信するように構成されてもよい。
【００１９】
[0027]  身体装着デバイスは、多様な方法で電力供給され得る。一例として、身体装着デバイスは、この身体装着デバイスに含まれるアンテナから収集された無線周波数エネルギにより電力供給され得る。別の例として、身体装着デバイスは、この身体装着デバイス内に含まれる光電池によって収集された光エネルギによって電力供給されてもよい。さらに別の例として、身体装着デバイスは、この身体装着デバイス内に含まれるバッテリに蓄積されたエネルギによって電力供給され得る。場合によっては、身体装着デバイスは、これらの選択肢の２つ以上の組み合わせを採用してもよい。例えば、身体装着デバイスは、アンテナおよび／または光電池からエネルギを収集し、収集されたエネルギを後に使用するためにバッテリ内に蓄積することができる。
【００２０】
[0028]  外部読取装置は、この外部読取装置および身体装着デバイスが、互いの無線通信距離の範囲内にある程度規則的に存在するように、構成および／または位置決めされ得る。例えば、外部読取装置は、眼鏡、ジュエリー（例えば、イヤリング、ネックレス）、ヘッドバンド、ハットもしくはキャップ等のヘッドカバー、イヤホン、および／または他の衣類（例えば、スカーフ）、あるいは身体装着デバイスの着用者によって着用され得るデバイスの一部として構成され得る。別の例として、外部読取装置は、身体装着デバイスが収容され得るケース（例えば、コンタクトレンズケース）の一部として構成されてもよい。他の例では、外部読取装置は、家、作業空間、車両、または身体装着デバイスがある程度規則的に存在する可能性のある他の領域の１つ以上の場所に位置決めされ得る。例えば、外部読取装置は、仕事場のデスクチェアの一部または車両内のサンバイザの一部として構成され得る。
【００２１】
[0029]  場合によっては、複数の外部読取装置が、上述したような複数の位置に分散されることにより、外部読取装置ネットワークを作り出すことができる。このような構成によって、身体装着デバイスがあちこちに移動する時に、この身体装着デバイスが、複数の外部読取装置のそれぞれの無線通信距離のうちの少なくとも１つの範囲内、あるいは多数の範囲内にある程度規則的に入り得る。さらに、複数の外部読取装置は、様々な外部読取装置によって検索された取得済みセンサデータの複数の部分を集約することができるように、互いに、および／または、データ取集デバイスと通信するように構成されてもよい。外部読取装置またはデータ収集デバイスは、センサデータを処理、提示、表示、格納、伝達、および／または、それ以外の方法で使用すること等により、そのセンサデータを利用することができる。このようなデータは、１つ以上の公知の暗号化技術を使用して暗号化することもできる。
【００２２】
[0030]  いくつかの例において、身体装着デバイスは、センサデータを取得するために要する電力が、この取得済みセンサデータを外部読取装置に送信するために要する電力よりも少ない場合がある。このような例では、外部読取装置は、例えば、身体装着デバイスが一度の通信セッションで取得済みセンサデータを外部読取装置に送信するのに十分な電力量を有する場合等の所定の状況下に限り、身体装着デバイスに対して取得済みセンサデータを要求および／または受信することが有益である場合がある。実際に、身体装着デバイスが取得済みセンサデータの転送を完了するのに十分な量の電力を有していない時に、外部読取装置がこのデータの検索を試みた場合、身体装着デバイスは、データ転送の実行を試みることにより電力を浪費することがある。このような電力の浪費は、身体装着デバイスが追加のセンサデータを取得する能力を制限する恐れがある。
【００２３】
[0031]  この問題に対処するために、外部読取装置は、センサデータ自体以外のデータを含む第１組のデータを身体装着デバイスから検索し得る。一例において、第１組のデータには、身体装着デバイスのバッテリ内に蓄積されたエネルギの指標等の電力関連データが含まれ得る。それに加えて、またはその代わりに、第１組のデータには、身体装着デバイス内に格納された取得済みセンサデータの量の指標等のセンサメタデータ（つまり、取得済みセンサデータに関するデータ）が含まれ得る。その後、身体装着デバイスは、検索された第１組のデータを使用して、条件が満たされているか否かを判断することができる。これは、身体装着デバイスが、取得済みセンサデータを一度の通信セッションで外部読取装置に送信することができることを示し得る。一例において、条件は、身体装着デバイスが、閾値量のエネルギを蓄積しているといった条件、および／または、身体装着デバイスが、閾値量の取得済みセンサデータを格納していないといった条件であり得る。そして、身体装着デバイスが、条件が満たされていると決定したことに応答して、外部読取装置は、第２組のデータを身体装着デバイスから検索することができる。第２組のデータには、取得済みセンサデータが含まれ得る。
【００２４】
[0032]  なお、別の方法では、身体装着デバイスが条件が満たされていないと決定した場合、外部読取装置は、少なくとも一時的に、身体装着デバイスから第２組のデータを検索するプロセスを見送ることができる。これは、例えば、身体装着デバイスが、外部読取装置に取得済みセンサデータを転送するのに十分な電力を有していない場合などに起こり得る。身体装着デバイスは、引き続き、後に上記プロセスが繰り返された時に条件が満たされ得るように、追加のエネルギを収集および／または蓄積することができる。
【００２５】
ＩＩ．システム例
[0033]  図１は、身体装着デバイス１１０および外部読取装置１９０を備える一例のシステム１００を示すブロック図である。
【００２６】
[0034]  身体装着デバイス１１０の露出領域は、身体に装着されるように形成された透明材料１２０から成り得る。いくつかの例において、透明材料１２０は、身体に接触装着され得る。他の例では、透明材料１２０は、身体内に埋め込まれ得る（例えば、外科的に埋め込まれ得る）。透明材料１２０は、装着面および装着面と反対の表面を有し得る。基板１３０は、透明材料１２０内に埋め込まれて、電源１４０、回路１５０、通信電子機器１７０、光源１７６、およびセンサ１７８のための実装面を提供することができる。通信電子機器１７０は、光検出器１７２およびアンテナ１７４を備え得る。
【００２７】
[0035]  電源１４０は、回路１５０に動作電圧を供給する。回路１５０は、通信電子機器１７０、光源１７６、およびセンサ１７８に電力を提供し、これらを制御し得る。通信電子機器１７０は、回路１５０により、身体装着デバイス１１０に向けて、および／または、身体装着デバイス１１０から、情報を伝達するように動作されられ得る。例えば、アンテナ１７４は、回路１５０により、身体装着デバイス１１０に向けて、および／または、身体装着デバイス１１０から、情報を伝達するように動作させられ得る。
【００２８】
[0036]  例えば、身体装着デバイス１１０が外部読取装置１９０の無線通信距離の範囲内に存在する場合、回路１５０は、アンテナ１７４を動作させて外部読取装置１９０から情報を受信することができる。一例において、この情報は、問い合わせメッセージを含み得る。別の例では、この情報は、身体装着デバイス１１０に、センサデータを取得すること、および／または、取得済みセンサデータを外部読取装置１９０に転送することを要求するメッセージを含み得る。
【００２９】
[0037]  さらに、外部読取装置１９０が身体装着デバイス１１０の無線通信距離の範囲内に存在する時、回路１５０は、アンテナ１７４を動作させて、情報を外部読取装置１９０に送信することができる。一例において、この情報は、確認応答メッセージを含み得る。このように、場合によっては、外部読取装置１９０からの問い合わせメッセージの受信に応答して、身体装着デバイス１１０は、確認応答メッセージを外部読取装置１９０に送信することができる。これにより、外部読取装置１９０は、身体装着デバイス１１０の存在を検出することができる。
【００３０】
[0038]  別の例では、身体装着デバイス１１０によって外部読取装置１９０に送信される情報は、身体装着デバイス１１０のメモリに格納されたセンサデータを含み得る。場合によって、身体装着デバイス１１０は、外部読取装置１９０からの適切な要求の受信に応答して、格納されたセンサデータを外部読取装置１９０に送信することができる。それに加えて、またはその代わりに、身体装着デバイス１１０は、格納されたセンサデータを断続的または定期的に外部読取装置１９０に送信することができる。
【００３１】
[0039]  身体装着デバイス１１０および／または外部読取装置１９０の無線通信距離の範囲は、例えば、この無線通信を提供するために使用される特定のハードウェアコンポーネントを含む多様な要因によって左右され得る。
【００３２】
[0040]  光源１７６は、回路１５０により、光を（例えば、調節光１８６を外部読取装置１９０の光検出器１９３に向けて）放出するように動作させられ得る。それに加えて、またはその代わりに、光検出器１７２および光源１７６は、回路１５０により、身体装着デバイス１１０に向けて、および／または、身体装着デバイス１１０から、（アンテナ１７４に関連して上述したように）情報を伝達するように動作させられ得る。センサ１７８は、電力を受けることができ、さらに、回路１５０により、身体装着デバイス１１０に向けて、身体装着デバイス１１０から伝達され得る読み取り値を提供することができる。
【００３３】
[0041]  身体装着デバイス１１０が眼球に接触装着されるように構成される眼球装着デバイスである例において、この接触装着を容易にするために、透明材料１２０は、湿った角膜表面に（例えば、角膜表面を被覆する涙膜との毛細管力によって）付着（「装着」）するように構成された凹面を有し得る。それに加え、またはその代わりに、身体装着デバイス１１０は、身体装着デバイス１１０の装着面の凹湾曲に起因する、角膜表面と透明材料１２０との間の真空力によって付着されてもよい。本例では、眼球に対して凹面側で装着される一方、透明材料１２０の外向き表面は、身体装着デバイス１１０が眼球に装着されている間、眼瞼の動きと干渉しないように形成される凸湾曲を有し得る。例えば、透明材料１２０は、コンタクトレンズと同様に成形された概ねドーム状の高分子材料であり得る。
【００３４】
[0042]  いくつかの例において、透明材料１２０は１つ以上の生体適合性材料を備え得る。例えば、コンタクトレンズ用、または身体との直接接触を伴う他の眼科用用途で採用される生体適合性材料を使用することができる。透明材料１２０は、任意で、部分的にそのような生体適合性材料から形成されてもよく、あるいは、そのような生体適合性材料を使用した外側コーティングを含んでもよい。透明材料１２０は、身体の表面を湿らせるように構成された、ヒドロゲル等の材料を含むことができる。身体装着デバイスが眼球装着デバイスであるいくつかの実施形態において、透明材料１２０は、コンタクトレンズによって提供され得るような、所定の視力矯正屈折力を提供するように成形されてもよい。
【００３５】
[0043]  基板１３０は、電源１４０、回路１５０、通信電子機器１７０、光源１７６、およびセンサ１７８を実装するのに適した１つ以上の表面を含み得る。基板１３０は、チップベースの回路用の（例えば、接続パッドへのフリップチップ実装による）実装プラットフォーム、および／または、導電性材料（例えば、金、プラチナ、パラジウム、チタン、銅、アルミニウム、銀、金属、他の導電性材料、それらの組み合わせ等）をパターニングして電極、インタコネクト、接続パッド、アンテナ等を作るためのプラットフォームのいずれのプラットフォームとしても採用することができる。いくつかの実施形態において、スルーホールパッドは、基板１３０にパターニングおよび／または穿孔されて、基板１３０の複数の面上のコンポーネント間の接続を可能にし得る。例えば、回路１５０および通信電子機器１７０等の一部のコンポーネントは、基板１３０の一方の面上に配置され、光源１７６およびセンサ１７８等の他のコンポーネントは、基板１３０の別の面上に配置され得る。いくつかの実施形態において、基板１３０は、この基板１３０の複数の面間の数層内で身体装着デバイス１１０に含まれる複数のコンポーネントが接続可能な多層基板（例えば、プリント回路基板）であり得る。いくつかの実施形態において、実質的に透明な導電性材料（例えば、インジウムスズ酸化物）を基板１３０上でパターニングして、回路１５０、電極等を形成することができる。例えば、アンテナ１７４は、金または別の導電性材料のパターンを、基板１３０上に堆積、フォトリソグラフィ、電気めっき法等により形成することによって形成され得る。同様に、回路１５０と光検出器１７２、アンテナ１７４、光源１７６、およびセンサ１７８のそれぞれとの間のインタコネクト１６２、１６４、１６６、１６８は、基板１３０上に導電性材料の好適なパターンを堆積させることによって形成され得る。いくつかの実施形態において、回路１５０をセンサ１７８と接続するために、インタコネクト１６８が同様に形成されてもよい。
【００３６】
[0044]  フォトレジスト、マスク、堆積技術および／またはめっき技術の使用を含む（これらに限定されない）超微細加工技術を組み合わせて採用して、基板１３０上で材料をパターニングすることができる。いくつかの例において、基板１３０は、ポリエチレンテレフタレート（「ＰＥＴ」）等の剛性のある材料、あるいは、透明材料１２０内で回路１５０および／またはチップベースの電子機器を構造的に支持するように構成されたポリイミドもしくは有機材料等の可撓性材料であり得る。あるいは、身体装着デバイス１１０は、単一の基板の代わりに、一組の接続されていない基板を備えてもよい。例えば、回路１５０が１つの基板に実装されてよく、光源１７２が別の基板に実装され、これら２つがインタコネクト１６２を介して電気的に接続されてもよい。
【００３７】
[0045]  身体装着デバイス１１０が眼球装着デバイスであるいくつかの実施形態において、基板１３０（および身体装着デバイス１１０に含まれる他のコンポーネント）は、身体装着デバイス１１０の中心から離れて位置決めされ、それにより、眼球の中央感光領域への光の透過との干渉を回避する（例えば、眼球の視野を避ける）ことができる。例えば、装着デバイス１１０が概ねドーム状である場合、基板１３０は、ドームの周辺部（例えば、外周付近）に埋め込まれ得る。しかし、いくつかの実施形態において、基板１３０は、身体装着デバイス１１０の中心領域内または中心領域付近に位置決めされてもよい。例えば、身体装着デバイス１１０は、歯装着デバイスであってよく、基板１３０は、透明材料１２０の内側の任意の位置に埋め込まれ得る。それに加え、またはその代わりに、基板１３０（および身体装着デバイス１１０に含まれる他のコンポーネント）は、入射する可視光に対し実質的に透明で、身体への光透過との干渉を軽減するようにしてもよい。例えば、身体装着デバイス１１０は皮膚装着デバイスであってよく、基板１３０は、日光が皮膚に到達することができるように、実質的に透明であり得る。
【００３８】
[0046]  いくつかの実施形態において、基板１３０は、埋め込み電子コンポーネント用の実装プラットフォームを提供するのに十分な半径方向の幅寸法を有する平坦なリングとして成形され得る。基板１３０は、身体装着デバイス１１０の形状に影響を与えずに透明材料１２０内に埋め込まれるのに十分な薄さを有し得る。基板１３０は、この基板上に実装される電子機器を支持するのに適した構造的安定性を提供するのに十分な厚さを有し得る。例えば、基板１３０は、直径が約１０ミリメートル、半径方向の幅が約１ミリメートル（例えば、外半径が内半径よりも１ミリメートルほど大きい）、厚さが約５０マイクロメートルのリングとして成形され得る。しかし、直径、半径方向幅、および厚さの値は、単に説明を目的として提示するものである。いくつかの実施形態において、基板１３０の寸法は、身体装着デバイス１１０のサイズおよび／または形状に応じて選択され得る。基板１３０は、任意で、身体装着デバイス１１０の表面の曲率に合わせられてもよい。
【００３９】
[0047]  電源１４０は、エネルギを収集および／または蓄積し、回路１５０、通信電子機器１７０、光源１７６、およびセンサ１７８に電力供給するように構成され得る。例えば、無線周波数エネルギ収集アンテナ１４２は、入射する無線放射からエネルギを捕捉することができる。それに加えて、またはその代わりに、光電池１４４（例えば、太陽電池）は、入射する紫外線、赤外線、可視光放射、および／または、不可視光放射からエネルギを捕捉してもよい。いくつかの実施形態において、入射する無線周波数放射および／または入射光は、身体装着デバイス１１０の環境における周囲放射であり得る。それに加えて、またはその代わりに、入射する無線周波数放射および／または入射光は、外部読取装置１９０からのものであってもよい。さらに、慣性環境発電システム（inertial power scavenging system）を備えて、周囲の振動からエネルギを捕捉してもよい。エネルギ収集アンテナ１４２は、任意で、外部読取装置１９０に向けて、および／または外部読取装置１９０から、情報を伝達するためにも使用される二重用途アンテナであってもよい。つまり、通信アンテナ１７４の機能と、エネルギ収集アンテナ１４２の機能とは、同一の物理アンテナによって実現することができる。
【００４０】
[0048]  電源１４０は、エネルギを蓄積するためのバッテリ１４５も含み得る。バッテリ１４５は、多様な形態を取り得る。例えば、バッテリ１４５は、ニッケル・カドミウム（ＮｉＣｄ）電池、ニッケル・水素（ＮｉＭＨ）電池、またはリチウムイオン（Ｌｉ−ｉｏｎ）電池等の充電式電池の形態を取ることができる。場合によっては、バッテリ１４５は、非接触式充電プロセスまたは無線充電プロセス（例えば、バッテリをこの様式で充電するように構成された外部読取装置に極めて接近している場合）によって充電されることができるように構成され得る。それに加えて、またはその代わりに、バッテリは、エネルギ収集アンテナ１４２および／または光電池１４４から収集されたエネルギを蓄積するように構成され得る。
【００４１】
[0049]  一例において、整流器／調整器１４６を使用して、収集および／または蓄積されたエネルギを、回路１５０に供給される安定したＤＣ供給電圧１４８へと調整することができる。例えば、エネルギ収集アンテナ１４２は、入射した無線周波数放射を受け得る。エネルギ収集アンテナ１４２の引込線上の多様な電気信号は、整流器／調整器１４６に出力される。整流器／調整器１４６は、多様な電気信号をＤＣ電圧に整流し、整流後のＤＣ電圧を、回路１５０を動作させるのに適したレベルに調整する。それに加え、またはその代わりに、光電池１４４および／またはバッテリ１４５からの出力電圧を、回路１５０を動作させるのに適したレベルに調整してもよい。整流器／調整器１４６は、エネルギ収集アンテナ１４２および／または光電池１４４内の高周波数変動を軽減するための１つ以上のエネルギ蓄積デバイスを備えてもよい。例えば、１つ以上のエネルギ蓄積デバイス（例えば、コンデンサ、インダクタ等）は、整流器／調整器１４６の出力に接続されてＤＣ供給電圧１４８を調整してもよく、かつ／または、ローパスフィルタとして機能するように構成されてもよい。
【００４２】
[0050]  回路１５０は、ＤＣ供給電圧１４８が回路１５０に供給されると作動する。回路１５０内の論理は、通信電子機器１７０を動作させて、外部読取装置１９０と相互作用することができる。回路１５０内の論理は、センサ１７８を動作させて、センサデータを取得することもできる。さらに、回路１５０内の論理は、光源１７６を動作させ得る。
【００４３】
[0051]  一例において、回路１５０は、身体装着デバイス１１０が読取装置１９０と通信し得るように、光源１７６を動作させ得る。特に、回路１５０は、調節命令を受信し、この調節命令に基づいて、光源１７６を制御して調節された放出光１８６を光検出器１９３に向けて提供させるように構成され得る。それに加えて、またはその代わりに、回路１５０は、光検出器１７２、アンテナ１７４、および／またはセンサ１７８との相互作用を介して、調節命令を受信するように構成されてもよい。一例において、回路１５０は、通信電子機器１７０に含まれ得る光検出器１７２を動作させるように構成された光検出器インタフェース１５２を備える。光検出器１７２は、例えば、能動ピクセルセンサ（ＡＰＳ）、電荷結合素子（ＣＣＤ）、フォトダイオード、フォトレジスタ、フォトトランジスタ、カメラ、または、身体装着デバイス１１０への入射光１８２を示す信号を、インタコネクト１６２を介して提供するように構成された他のあらゆる光センサであり得る。入射光１８２は、可視光または不可視光（紫外線、赤外線等）であり得る。光検出器１７２によって検出された入射光１８２は、メッセージ、身体装着デバイス１１０に含まれる光源１７６に対する調節命令、または他のデータを示し得る。例えば、回路１５０は、メッセージに基づき、光源１７６により放出された光を調節し得る。他の例では、回路１５０は、メッセージに基づき、基板１３０内に含まれるコンポーネントを制御し得る。
【００４４】
[0052]  場合によって、回路１５０は、通信電子機器１７０に含まれるアンテナ１７４を動作させて、このアンテナ１７４を介して情報を送信および／または受信するように構成されるアンテナインタフェース１５４を備え得る。アンテナインタフェース１５４は、任意で、アンテナ１７４によって送信および／または受信される搬送周波数の情報を変調および／または復調するための１つ以上の発振器、ミキサ、周波数注入器等を備え得る。いくつかの例では、身体装着デバイス１１０は、アンテナ１７４のインピーダンスを、外部読取装置１９０によって感知可能な態様で変調することにより、センサ１７８からの出力を示すように構成される。例えば、アンテナインタフェース１５４は、アンテナ１７４からの無線周波数放射（ＲＦ放射）１８４の振幅、位相、および／または、周波数の変動を引き起こし、この変動が読取装置１９０によって検出され得る。ＲＦ放射１８４は、読取装置１９０からアンテナ１７４への放射も含み得る。いくつかの例において、身体装着デバイス１１０は、メッセージ（例えば、取得済みセンサデータを要求するメッセージ）、光源１７６に対する調節命令、または他のデータを示すＲＦ放射１８４を外部読取装置１９０から受信するように構成される。例えば、回路１５０は、メッセージに基づき、光源１７６によって放出される光を調節し得る、他の例では、回路１５０は、メッセージに基づき、基板１３０内に含まれるコンポーネントを制御し得る。アンテナインタフェース１５４は、インタコネクト１６４を介してアンテナ１７４に接続され得る。
【００４５】
[0053]  回路１５０は、光源１７６によって放出される光を調節するための調節インタフェース１５６を備え得る。光源１７６によって放出される光は、可視光または不可視光（紫外線、赤外線等）であり得る。回路１５０は、調節インタフェース１５６を形成するために集積回路内に実施される論理素子および／またはコントローラを備え得る。例えば、調節インタフェース１５６は、光源１７６による放出光１８６の波長（つまり、色）、明るさ、強度、または放出光の持続時間等の態様を調節して、調節光を提供することができる。光源１７６は、例えば、発光ダイオード（ＬＥＤ）、垂直共振器面発光レーザ（ＶＣＳＥＬ）、有機発光ダイオード（ＯＬＥＤ）、液晶ディスプレイ（ＬＣＤ）、微小電気機械システム（ＭＥＭＳ）、または、インタコネクト１６６を介した調節インタフェース１５６からの情報に応じて光を選択的に透過、反射、および／または放出させて、調節された放出光１８６を提供するように構成されたあらゆる他のデバイスを含む、多様な形態を取ることができる。また、光源１７６は、特定の方向に（および／または特定の角度で）光を放出することができるように、特定の態様で基板１３０上に構築および／または配置され得る。
【００４６】
[0054]  いくつかの例において、調節インタフェース１５６は、光源１７６内の別個にプログラムされた画素にプログラミング情報を提供する１つ以上のデータ線を備え得る。いくつかの例において、光源１７６は、透明材料１２０の装着面と反対の表面を通って放出光１８６を誘導するための１つ以上の光学要素を備え得る。身体装着デバイス１１０が眼球装着デバイスである例において、基板１３０上に配置された光源１７６は、透明材料１２０の凹面（例えば、装着面）が眼球の角膜表面に装着されている時、透明材料１２０の凸面（例えば、装着面とは反対側の表面）を通り、眼球の角膜から離れる方向に光を放出するように構成され得る。
【００４７】
[0055]  回路１５０は、センサ１７８を動作させるためのセンサインタフェース１５８を備え得る。センサ１７８は、例えば、涙膜内の分析物を測定するように構成されたバイオセンサであり得る。例えば、センサ１７８は、涙膜内の血糖値に関する読み取り値を提供するように構成されたグルコースセンサであり得る。いくつかの例において、センサ１７８は、身体装着デバイス１１０のユーザの血圧、体温、心拍、または心理状態等の他の生体情報を測定してもよい。例えば、センサ１７８は、まばたきの頻度を測定して、ユーザの心理状態を決定するように構成され得る。別の例では、（例えば、身体装着デバイス１１０が歯装着デバイスである場合）センサ１７８は、唾液中の分析物の濃度を測定するように構成され得る。いくつかの例において、センサ１７８は、ユーザの周囲環境の態様を測定することができる。例えば、センサ１７８は、周囲光の強度または周囲環境の湿度を測定することができる。いくつかの例において、受信された調節命令は、センサの読み取り値に基づき得る。例えば、回路１５０は、センサ１７８の読み取り値によって示された周囲光の強度に応じて、光源１７６による放出光１８６の強度を調節するように構成され得る。他の例では、調節された放出光１８６は、センサの読み取り値を示すこともできる（例えば、赤色は高血糖値を示すことができ、青色は低血糖値を示すことができる、等）。
【００４８】
[0056]  場合によって、身体装着デバイス１１０は、センサデータを断続的または定期的に取得するように構成され得る。そのような例では、外部読取装置１９０は、センサ１７８の動作に関する命令を身体装着デバイス１１０に送信し得る。例えば、外部読取装置１９０は、身体装着デバイス１１０に対し、センサ１７８を使用して特定のスケジュールに従って（例えば、特定の頻度で）センサ読み取り値を取得するように指示し得る。それに加えて、またはその代わりに、身体装着デバイス１１０は、外部読取装置１９０からの適切な要求の受信に応答して、センサデータを取得するように構成されてもよい。身体装着デバイス１１０は、身体装着デバイス１１０内に含まれるメモリ内に取得済みセンサデータを格納して、格納したセンサデータを後に外部読取装置１９０に送信することができるように構成されてもよい。
【００４９】
[0057]  回路１５０は、インタコネクト１６２および１６４を介して通信電子機器１７０に接続される。例えば、回路１５０が集積回路内に実施されて光検出器１７２および／またはアンテナ１７４を形成する論理素子を備える場合、パターニングされた導電性材料（例えば、金、プラチナ、パラジウム、チタン、銅、アルミニウム、銀、金属、それらの組み合わせ等）は、チップ上の端子を通信電子機器１７０に接続することができる。同様に、回路１５０は、インタコネクト１６６を介して光源１７６に接続され、回路１５０は、インタコネクト１６８を介してセンサ１７８に接続され得る。
【００５０】
[0058]  なお、図１に示すブロック図は、説明の便宜上、機能的なモジュールに関連して記載されている。しかし、身体装着デバイス１１０の実施形態は、単一のチップ、集積回路、および／または物理的コンポーネント内に実施される１つ以上の機能的なモジュール（サブシステム）を含んで構成されてもよい。例えば、整流器／調整器１４６は電力供給ブロック１４０内に図示されているが、整流器／調整器１４６は、回路１５０の論理素子および／または身体装着デバイス１１０内の埋め込み電子機器の他の機構も含むチップ内に実施されてもよい。したがって、電源１４０から回路１５０に供給されるＤＣ供給電圧１４８は、チップ上のコンポーネントに、同一チップ内に置かれた整流器／調整器１４６コンポーネントによって提供される供給電圧であり得る。すなわち、電力供給ブロック１４０および回路ブロック１５０として示された図１の機能ブロックは、物理的に別個のモジュールとして実施されなくてもよい。それに加え、またはその代わりに、エネルギ収集アンテナ１４２およびアンテナ１７４は、同一の物理アンテナとして実施されてもよい。例えば、ループアンテナは、入射する放射を電力生成のために収集することも、後方散乱放射を介して情報を伝達することもできる。
【００５１】
[0059]  さらに、図１に記載される機能モジュールの１つ以上は、互いに電気接続される別個にパッケージ化されたチップとして実施されてもよい。別の例では、これらの機能モジュールの１つ以上は、プロセッサと、このプロセッサにより実行されると、本開示に含まれる例において説明された機能の１つ以上を実行させる命令を含む非一時的なコンピュータ可読媒体等のメモリとによる形態で実施され得る。このように、身体装着デバイス１１０および／または回路１５０は、このような機能の１つ以上を実行するように構成され得る。なお、メモリは、例えば、取得済みセンサデータの格納を含む他の目的で使用されてもよい。
【００５２】
[0060]  外部読取装置１９０は、スマートフォン、携帯情報端末（digital assistant）、頭部装着デバイス（例えば、計算能力を備えた眼鏡）、または、ＲＦ放射１８４および／または入射光１８２を提供するのに十分な無線通信性を有する他の計算デバイスであり得る。外部読取装置１９０は、例えば、ＲＦ放射１８４が、計算デバイスでは通常使用されない搬送波周波数で動作する場合、または、計算デバイスが光源を備えない場合などにおいて、計算デバイスに接続され得るアンテナモジュールおよび／または光源としても実施され得る。外部読取装置１９０は、読取装置の光検出器１９３を介して身体装着デバイス１１０から放出光１８６を受けるようにも構成され得る。
【００５３】
[0061]  外部読取装置１９０は、この外部読取装置１９０および身体装着デバイス１１０が互いの無線通信距離の範囲内にある程度規則的に存在するように、構成および／または位置決めされ得る。例えば、外部読取装置１９０は、眼鏡、ジュエリー（例えば、イヤリング、ネックレス）、ヘッドバンド、ハットもしくはキャップ等のヘッドカバー、イヤホン、および／または他の衣類（例えば、スカーフ）、あるいは身体装着デバイス１１０の着用者によって着用され得るデバイスの一部として構成され得る。別の例として、外部読取装置１９０は、身体装着デバイス１１０が収容され得るケース（例えば、コンタクトレンズケース）の一部として構成されてもよい。他の例では、外部読取装置１９０は、家、作業空間、車両、または身体装着デバイス１１０がある程度規則的に存在する可能性のある他の領域の１つ以上の場所に位置決めされ得る。例えば、外部読取装置１９０は、仕事場のデスクチェアの一部または車両内のサンバイザの一部として構成され得る。
【００５４】
[0062]  図１に示すように、外部読取装置１９０は、通信電子機器１９２、光源１９５、プロセッサ１９６、およびメモリ１９７を備えることができ、それぞれがシステムバスまたは他の接続機構１９８によって互いに接続され得る。通信電子機器１９２は、外部読取装置１９０が、身体装着デバイス１１０または別のデバイス（例えば、別の外部読取装置またはデータ収集バイス）に向けて、および／または身体装着デバイス１１０または別のデバイスから情報を伝達することを可能にする。
【００５５】
[0063]  身体装着デバイス１１０が光検出器１７２を備える例では、外部読取装置１９０は、調節された入射光１８２を身体装着デバイス１１０に提供するように構成された光源１９５を備え得る。例えば、調節された入射光１８２は、受信された調節命令に基づいて回路１５０が放出光１８６を調節するように、回路１５０に対する受信された調節命令を示し得る。別の例では、調節された入射光１８２は、身体装着デバイス１１０に対するセンサ１７８の読み取り値を取得する命令を含み得る。したがって、この例では、回路１５０は、放出光１８６を調節して、センサ１７８の読み取り値を示す調節光を提供するように構成され得る。
【００５６】
[0064]  いくつかの例において、通信電子機器１９２は、調節された放出光１８６を受け、この調節された放出光１８６に基づいてセンサ１７８の読み取り値を決定するための光検出器１９３を備え得る。いくつかの例において、調節された入射光１８２は、外部読取装置１９０の状態または外部読取装置１９０に含まれるコンポーネントの状態を示し得る。他の例では、調節された放出光１８６は、身体装着デバイス１１０の状態または身体装着デバイス１１０に含まれるコンポーネントの状態を示し得る。例えば、光電池１４４の状態が調節された放出光１８６によって示され得る。いくつかの例において、外部読取装置１９０は、光を収集して身体装着デバイス１１０に電力を提供するように構成される、身体装着デバイス１１０内に含まれる光電池１４４に光を提供することができる。
【００５７】
[0065]  身体装着デバイス１１０がアンテナ１７４を備える例では、外部読取装置１９０は、ＲＦ放射１８４を介して、身体装着デバイス１１０に対して情報を送信および／または受信するように構成されたアンテナ１９４を備え得る。例えば、アンテナ１７４は、ＲＦ放射１８４を介して、問い合わせメッセージまたはセンサ１７８の読み取り値に関するメッセージを送信するように構成され得る。したがって、ＲＦ放射１８４は、アンテナ１９４によって受信され、センサ１７８の読み取り値は、外部読取装置１９０によりＲＦ放射１８４に基づいて決定され得る。いくつかの例では、アンテナ１９４は、ＲＦ放射１８４を介して、身体装着デバイス１１０に情報を送信することができる。いくつかの例では、外部読取装置１９０は、ＲＦ放射１８４を収集して身体装着デバイス１１０に電力を提供するように構成される、身体装着デバイス１１０に含まれるエネルギ収集アンテナ１４２にＲＦ放射１８４を提供することができる。
【００５８】
[0066]  上述したように、通信電子機器１９２は、外部読取装置１９０が、別の外部読取装置またはデータ収集デバイス等の他のデバイスに向けて、および／または該他のデバイスから、情報を伝達することを可能にする。一例において、通信電子機器１９２は、有線または無線インタフェースの形態を取ることができ、外部読取装置１９０が、１つ以上の規格またはプロトコルに従って身体装着デバイス１１０、別の読取装置１９０、またはデータ収集デバイス等の別のデバイスと通信することを可能にし得る。１つ以上の規格またはプロトコルは、例えば、ＲＦＩＤ規格（例えば、ＥＰＣ  Ｇｅｎ  ２）、Ｂｌｕｅｔｏｏｔｈ規格、ＩＥＥＥ８０２．１１プロトコル（「ＷｉＦｉ」）、ＩＥＥＥ８０２．１５プロトコル（「Ｚｉｇｂｅｅ」）、ローカルエリアネットワーク（ＬＡＮ）プロトコル、２Ｇプロトコル（例えば、ＣＤＭＡ、ＴＤＭＡ、ＧＳＭ）、３Ｇプロトコル（例えば、ＣＤＭＡ−２０００、ＵＭＴＳ）、４Ｇプロトコル（例えば、ＬＴＥ、ＷｉＭＡＸ）等の（これらに限定されない）ワイヤレスワイドエリアネットワーク（ＷＷＡＮ）プロトコル、ワイヤードプロトコル（例えば、ＵＳＢ、ワイヤードＩＥＥＥ８０２プロトコル、ＲＳ−２３２、ＤＴＭＦ、ダイヤルパルス）等である。他の多くの規格、プロトコル、およびそれらの組み合わせも同様に使用することができる。とりわけ、場合によっては、使用される規格またはプロトコルにより、外部読取装置１９０は、複数の異なる身体装着デバイス１１０と同時に通信することができる。
【００５９】
[0067]  プロセッサ１９６は、通信電子機器１９２（光検出器１９３およびアンテナ１９４を含む）および光源１９５を制御するように構成され得る。メモリ１９７は、プロセッサ１９６によって実行されると、本開示に含まれる例において記載される機能の１つ以上を実行させる命令を含む非一時的なコンピュータ可読媒体の形態を取り得る。このように、外部読取装置１９０は、そのような機能の１つ以上を実行するように構成され得る。
【００６０】
[0068]  いくつかの実施形態において、システム１００は、電源１４０用に身体装着デバイス１１０にエネルギを断続的に供給するように動作し得る。例えば、センサ１７８により読み取り値を取得し、この読み取り値を放出光１８６および／またはＲＦ放射１８４を介して外部読取装置１９０に無線で伝達するのに十分な時間、身体装着デバイス１１０に電力供給するために入射光１８２および／またはＲＦ放射１８４が供給され得る。このような例において、入射光１８２および／またはＲＦ放射１８４は、外部読取装置１９０から身体装着デバイス１１０に読み取りを要求するための呼び掛け信号であるとみなされ得る。（例えば、このデバイスを一時的に作動させるために入射光１８２および／またはＲＦ放射１８４を供給することにより）身体装着デバイス１１０に対して定期的に呼び掛けを行うことにより、外部読取装置１９０は、身体装着デバイス１１０に連続的な電力供給を行わずに、一組の読み取り値を蓄積することができる。別の例では、身体装着デバイス１１０は、バッテリ１４５内に蓄積されたエネルギを使用して、断続的にセンサデータを取得するように構成されてもよい。その後、外部読取装置１９０は、以降で詳述するように、このような読み取り値を身体装着デバイス１１０から条件付きで検索することができる。
【００６１】
[0069]  外部読取装置１９０は、この外部読取装置１９０および身体装着デバイス１１０が互いの無線通信距離の範囲内にある程度規則的に存在するように、構成および／または位置決めされ得る。この目的で、複数の外部読取装置１９０が、複数の位置に分散されて、外部読取装置ネットワークを提供してもよい。そのような構成によって、身体装着デバイスがあちこちに移動する時に、身体装着デバイス１１０は、複数の外部読取装置１９０のそれぞれの無線通信距離のうちの少なくとも１つ、あるいは多くの範囲内にある程度規則的に入り得る。さらに、複数の外部読取装置１９０は、様々な外部読取装置１９０によって検索された（特定の身体装着デバイスの）取得済みセンサデータの複数の部分が集約され得るように、互いに、および／またはデータ収集デバイスと、通信するように構成され得る。
【００６２】
[0070]  図３は、８個の外部読取装置１９０ａ〜１９０ｈおよびデータ収集デバイス３０２のネットワークを備えるシステム３００の例を示す。上述した外部読取装置１９０と同様に、データ収集デバイス３０２は、通信電子機器と、プロセッサと、このプロセッサにより実行されると、本開示に含まれる例において説明された機能の１つ以上を実行させる命令を含む非一時的なコンピュータ可読媒体と、を備え得る。図３に示すように、外部読取装置１９０ａ〜ｈは、それぞれの通信経路３０４ａ〜ｅを介してデータ収集デバイス３０２と通信することができる。外部読取装置１９０ａ〜ｈまたはデータ収集デバイス３０２は、センサデータを処理、提示、表示、格納、伝達、および／または、それ以外の方法で使用すること等により、そのセンサデータを利用することができる。
【００６３】
[0071]  上述したように、外部読取装置１９０ａ〜ｈは、問い合わせメッセージを一斉送信することにより、それぞれの無線通信距離の範囲内の身体装着デバイス１１０の存在を検出することを試み得る。身体装着デバイス１１０は、問い合わせメッセージの受信に応答して、外部読取装置１９０に確認応答メッセージを送信するように構成され得る。この確認応答メッセージにより、外部読取装置は、身体装着デバイス１１０の存在を決定し、かつ／または、身体装着デバイス１１０を識別することができる。場合によって、外部読取装置１９０は、断続的または定期的に問い合わせメッセージを一斉送信するように構成され得る。他の場合では、外部読取装置１９０は、ユーザインタフェースを介してユーザから受信した要求に応答して、そのようなメッセージを送信してもよい。
【００６４】
[0072]  図２Ａは、眼球装着デバイス２１０の一例を示す底面図である。図２Ｂは、図２Ａに示した眼球装着デバイス２１０の例の側面図である。なお、図２Ａおよび図２Ｂの相対的寸法は、必ずしも縮尺通りではなく、例示した眼球装着デバイス２１０の構成の記載にあたって、単に説明を目的として描画されたものである。眼球装着デバイス２１０は、概ねドーム状の透明材料２２０から形成され得る。透明材料２２０は、眼球装着デバイス２１０が眼球に装着されている間、入射光（例えば、眼球の視野）を眼球まで透過させることができる。いくつかの例において、透明材料２２０は、検眼における視力矯正用および／または化粧用コンタクトレンズを形成するのに採用されるものと同様の、ポリエチレンテレフタレート（ＰＥＴ）、ポリメチルメタクリレート（ＰＭＭＡ）、ポリヒドロキシエチルメタクリレート（ｐｏｌｙＨＥＭＡ）、シリコーンヒドロゲル、これらの組み合わせ等の生体適合性材料であり得る。透明材料２２０は、一方の側に、眼球の角膜表面上に装着するのに適した凹面２２６（例えば、「装着面」、図２Ａに示す底面図等）を有するように形成され得る。ドームの反対側には、眼球装着デバイス２１０が眼球に装着されている間、眼瞼の動きと干渉しない凸面２２４（「装着面と反対の表面」）を有し得る。円形の外側縁２２８は、凹面２２６と凸面２２４とを接続し得る。
【００６５】
[0073]  眼球装着デバイス２１０は、およそ１センチメートルの直径および約０．１〜約０．５ミリメートルの厚さといった、視力矯正用および／または化粧用コンタクトレンズと同様の寸法を有し得る。ただし、これらの直径および厚さの値は、単に説明を目的として提示するものである。いくつかの実施形態において、眼球装着デバイス２１０の寸法は、着用者の眼球の角膜表面のサイズおよび／または形状に応じて選択され得る。
【００６６】
[0074]  透明材料２２０は、多様な方法でドーム状または湾曲した形状に形成され得る。例えば、視力矯正用コンタクトレンズを形成するのに採用されるような技術と同様の、熱成形、射出成形、スピンコーティング等の技術を採用して、透明材料２２０を形成することができる。眼球装着デバイス２１０が眼球に装着されている時には、凸面２２４は、外向きに周囲環境に面し、凹面２２６は、内向きに角膜表面に面する。したがって、凸面２２４は、眼球装着デバイス２１０の外側の上面であるとみなされ、凹面２２６は、内側の底面であるとみなされ得る。図２Ａに示される「底面」図は、凹面２２６に面している。
【００６７】
[0075]  基板２３０は、透明材料２２０内に埋め込まれる。いくつかの例では、基板２３０は、眼球装着デバイス２１０の中心領域から離れた、透明材料２２０の外側周辺部付近に埋め込まれ得る。したがって、本例では、基板２３０は、眼球に近過ぎるために焦点には入らず、周囲光が眼球の感光部分に透過される中央領域からは離れて位置決めされるために、視覚を妨げない。いくつかの例では、基板２３０は、視覚に対する作用をさらに軽減するために、透明材料から形成され得る。
【００６８】
[0076]  基板２３０は、平坦な円形リング（例えば、中心孔を有するディスク）として成形され得る。基板２３０の（例えば、半径方向の幅に沿った）平坦面は、（例えば、フリップチップ実装により）チップ等の電子機器を実装し、導電性材料を（例えば、フォトリソグラフィ、堆積、めっき法等の超微細加工技術により）パターニングして、電極、アンテナ、および／または相互接続を形成するためのプラットフォームである。いくつかの例では、基板２３０および透明材料２２０は、共に、共通の中心軸を中心にして、略円筒対称であり得る。基板２３０は、例えば、約１０ミリメートルの直径、約１ミリメートルの半径方向幅（例えば、外半径が内半径よりも１ミリメートルほど大きい）、および約５０マイクロメートルの厚さを有し得る。ただし、これらの寸法は、例示のみを目的として提示され、本開示をいかようにも限定するものではない。基板２３０は、図１に関連して上述した基板１３０と同様に、様々なフォームファクタで実施され得る。
【００６９】
[0077]  回路２５０、ループアンテナ２７４、およびセンサ２７８は、図２Ａに示すように、基板２３０のうち、透明材料２２０の凹面２２６に面した面（「底面」）に配置される。光源２７６は、図２Ｂに示すように、基板２３０のうち、透明材料２２０の凸面２２４に面した反対面（「上面」）に配置される。しかし、いくつかの実施形態では、回路２５０、ループアンテナ２７４、光源２７６、および／またはセンサ２７８は、基板２３０のいずれの面に配置されてもよい。例えば、いくつかの実施形態において、回路２５０は、基板２３０のうち、透明材料２２０の凸面２２４に面した反対面（「上面」）に配置されてもよい。一例では、光源２７６は、基板２３０のうち、凹面２２６に面した面（「底面」）に配置されてもよい。その場合、基板２３０は、穴を備えてよく、この穴を通って、光源２７６によって放出された光が凸面２２４に到達し、角膜表面から離れる方向に伝播することができる。いくつかの例において、基板上２３０に配置される１つ以上のコンポーネントは、基板２３０のうち、透明材料２２０の円形の外側縁２２８に面した面に配置され得る。
【００７０】
[0078]  図２Ａ〜２Ｂには例示されないいくつかの実施形態において、基板２３０は、インタコネクト、および、基板２３０上に配置されたコンポーネントに接続される他の導電性材料のための複数の層を含み得る。基板２３０の他の構成は、本明細書内で意図されており、当業者には明らかであろう。例えば、複数層の一層は、コンポーネントを接地電圧に接続させるための「接地面」として利用することができる。
【００７１】
[0079]  回路２５０は、ループアンテナ２７４、光源２７６、およびセンサ２７８を動作させるように構成された（例えば、チップ、またはプロセッサおよび非一時的なコンピュータ可読媒体の形態の）論理素子を備え得る。回路２５０は、それぞれ、インタコネクト２６４および２６８により、ループアンテナ２７４およびセンサ２７８に電気的に接続される。インタコネクト２６６は、基板２３０を通って回路２５０を光源２７６に電気的に接続させる。例えば、インタコネクト２６６は、基板２３０のうち透明材料２２０の凸面２２６に面した面（「底面」）を、基板２３０のうち透明材料２２０の凸面２２４に面した反対面（「上面」）に接続させる貫通孔内に配置され得る。インタコネクト２６４、２６６、２６８、およびループアンテナ２７４は、堆積、フォトリソグラフィ等の導電性材料をパターニングするためのプロセスによって基板２３０上にパターニングされる導電性材料から形成され得る。基板２３０上にパターニングされる導電性材料は、例えば、金、プラチナ、パラジウム、チタン、炭素、アルミニウム、銅、銀、塩化銀、不活性材料から形成される導電体、金属、これらの組み合わせ等であり得る。回路２５０は、調節命令を受信するように構成され、かつ、受信された調節命令に基づき、光源２７６から読取装置の光検出器に向かう放出光２８６を調節するように構成され得る。
【００７２】
[0080]  ループアンテナ２７４は、平坦な導電性リングを形成するように基板の平坦面に沿ってパターニングされた導電性材料の層であり得る。場合によって、ループアンテナ２７４は、完全なループを成さずに形成されてもよい。例えば、ループアンテナ２７４は、図２Ａに例示するように、回路２５０およびセンサ２７８用の空間を設けるための切欠きを有し得る。ただし、ループアンテナ２７４は、基板２３０の平坦面の周りを一周以上完全に巻回する導電性材料から成る連続したストリップとして構成することもできる。例えば、複数の巻き数を有する導電性材料のストリップを、基板２３０の、回路２５０およびセンサ２７８とは反対面にパターニングすることができる。したがって、本例では、そのような巻回されたアンテナの端部（例えばアンテナ引込線）間のインタコネクト２６４は、図２Ｂのインタコネクト２６６と同様に、回路２５０まで基板２３０を貫通し得る。
【００７３】
[0081]  光源２７６は、例えば、発光ダイオード（ＬＥＤ）、垂直共振器面発光レーザ（ＶＣＳＥＬ）、有機発光ダイオード（ＯＬＥＤ）、液晶ディスプレイ（ＬＣＤ）、微小電気機械システム（ＭＥＭＳ）、または、インタコネクト２６６を介して回路２５０によって受信された調節命令に応じて光を選択的に透過、反射、および／または放出させて、調節された放出光２８６を提供するように構成されたあらゆる他のデバイスを含む、多様な形態を取ることができる。光源２７６は、上述したように、多様な態様（波長等）のいずれかを有する光を放出するように構成され得る。また、光源２７６は、特定の方向に（および／または特定の角度で）光を放出することができるように、特定の態様で基板２３０上に構築および／または配置され得る。光源２７６の動作は、図１で説明した光源１７６と同様である、光源２７６は、凸面２２４を通って、角膜表面から離れる方向に放出光２８６を提供するように構成され得る。
【００７４】
[0082]  図２Ｂでは、インタコネクト２６６が光源２７６の一方の端部に接続されるように例示されるが、いくつかの実施形態は、光源２７６の任意の他の部分に接続されるインタコネクト２６６を含み得る。例えば、インタコネクト２６６は、眼球装着デバイス２１０の「上面」（凸面２２４に面する面）から見えないように、光源２７６の下に配置され得る。
【００７５】
[0083]  光源２７６は、長方形、三角形、円形、および／または基板２３０の平坦面に適合する任意の形状に構成され得る。例えば、光源２７６は、ループアンテナ２７４と同様のループ形状を有し得る。光源２７６は、回路２５０によって受信された調節命令に基づき、放出光２８６を提供するように構成され得る。例えば、放出光２８６は、眼球装着デバイス２１０の状態または眼球装着デバイス２１０に含まれるコンポーネントの状態を示し得る。例えば、放出光２８６は、眼球装着デバイス２１０に提供されている電力が不足していることを示す点滅光であり得る。
【００７６】
[0084]  センサ２７８は、基板２３０上に配置され、インタコネクト２６８を介して回路２５０に読み取り値を提供するように構成され得る。例えば、受信された調節命令は、センサ２７８の読み取り値を示し得る。いくつかの例において、受信された調節命令は、センサ２７８からの読み取り値の取得を示す、ループアンテナ２７４によって受信される無線周波数放射への応答であり得る。
【００７７】
[0085]  図２Ｃは、図２Ａおよび図２Ｂに示した眼球装着デバイスの例が眼球１０の角膜表面２０に装着されている状態を示す側断面図である。図２Ｄは、眼球装着デバイス２１０の例が図２Ｃに示したように装着されている時に、透明材料２２０に埋め込まれた基板２３０と、光源２７６と、放出光２１６、２８６とを強調して示す拡大側断面図である。なお、図２Ｃおよび２Ｄの相対寸法は、必ずしも縮尺通りではなく、例示した眼球装着電子デバイス２１０の構成の記載にあたって、単に説明を目的として描画されたものである。例示を可能にし、かつ説明を容易にするために、一部の側面が誇張されている。さらに、透明材料２２０に埋め込まれた基板２３０の向きは、必ずしも図２Ｄに示される通りではない。いくつかの実施形態において、基板２３０は、基板２３０の外向きの平坦な実装面２３４が透明材料２２０の凸面２２４に面し、基板２３０の内向きの平坦な実装面２３２が透明材料２２０の凹面２２６に面するように、任意の角度で方向付けられ得る。
【００７８】
[0086]  眼球１０は、上眼瞼３０と下眼瞼３２とを眼球１０の上で合わせるように動かすことにより覆われる角膜表面２０を含む。周囲光は、角膜表面２０を通して眼球１０で受けられ、そこで周囲光は眼球１０の感光要素（例えば、杆体および錐体）へと光学的に誘導されて、視覚を刺激する。図２Ｃに示すように、凹面２２６は、角膜表面２０に取り外し可能に装着されるように構成される。さらに、凸面２２４は眼瞼３０および３２の動きに適合する。
【００７９】
[0087]  図２Ｄに示すように、光源２７６からの放出光２１６、２８６は、凹面２２６が角膜表面２０上に装着されている時、凸面２２４を通り、角膜表面２０から離れる方向に誘導される。例えば、光源２７６は、放出光２１６、２８６が凸面２２４を通って進むことができるように基板２３０の外向きの平坦な実装面２３４上に配置され得る。この例では、インタコネクト２６６は、基板２３０の内向きの平坦な実装面２３２上に配置された回路２５０を、基板２３０を通って光源２７６に接続させる。
【００８０】
[0088]  図２Ｃおよび２Ｄの断面図に示されるように、基板２３０は、平坦な実装面２３２および２３４が凹面２２６の隣接部分に略平行になるように傾斜され得る。しかし、いくつかの実施形態では、基板２３０は、外向きの実装面２３４が凸面２２４に面するように任意の角度で方向付けられ得る。上述したように、基板２３０は、（透明材料２２０の凹面２２６により近い）内向き面２３２と、（凸面２２４により近い）外向き面２３４とを有する平坦なリングであり得る。基板２３０は、実装面２３２、２３４のいずれかもしくは両方に実装された、または、一方の表面から別の表面へコンポーネントを接続するために基板２３０を貫通して実装された電子コンポーネントおよび／またはパターニングされた導電性材料を有し得る。
【００８１】
ＩＩＩ．動作例
[0089]  図４は、本明細書に記載される少なくともいくつかの実施形態に従って、読取装置を動作させる方法の一例を示すブロック図である。方法４００は、例えば、デバイス１１０、１９０、および／または２１０に関連して使用され得る。方法４００は、ブロック４０２〜４０６の１つ以上によって例示される１つ以上の動作、機能、または行為を含み得る。ブロックは、順番に例示されているが、これらのブロックは、場合によっては、並行して実行されてもよく、かつ／または、本明細書に記載される順番とは異なる順番で実行されてもよい。また、多様なブロックは、より少ない数のブロックへと組み合わされてもよく、追加のブロックへと分割されてもよく、かつ／または所望の実施に基づいて除去されてもよい。
【００８２】
[0090]  さらに、方法４００、ならびに本明細書に開示される他のプロセスおよび方法について、フローチャートでは、本実施形態の１つの可能な実施の機能性および動作が示されている。この点に関して、各ブロックは、製造プロセスまたは動作プロセスのモジュール、セグメント、または部分を表し得る。
【００８３】
[0091]  ブロック４０２において、方法４００は、読取装置の無線通信距離の範囲内の身体装着デバイスを検出することを含み得る。例えば、これには、外部読取装置１９０が、身体装着デバイス１１０がこの外部読取装置１９０の無線通信距離の範囲内に存在することを検出することが含まれ得る。上述したように、身体装着デバイスは多様な形態を取り得る。例えば、身体装着デバイスは、角膜表面上に取り外し可能に装着されるように構成された凹装着面を有する透明材料を備えた眼球装着デバイスの形態を取り得る。透明材料は、さらに、装着面と反対の表面を備え、この装着面と反対の表面は、凹面が角膜表面上に装着されている時に、眼瞼の動きに適合するように構成された凸面を含む。
【００８４】
[0092]  ブロック４０４において、方法は、検出された身体装着デバイスから第１組のデータを無線で検索することを含み得る。例えば、これには、外部読取装置１９０が、検出された身体装着デバイス１１０から第１組のデータを無線で検索することが含まれ得る。第１組のデータは、多様な形態を取り得る。例えば、第１組のデータは、電力関連のデータを含み得る。例えば、身体装着デバイスがバッテリを備える場合、第１組のデータは、そのバッテリ内に蓄積されたエネルギの量の指標を含み得る。それに加えて、またはその代わりに、身体装着デバイスが光電池を備える場合、第１組のデータは、その光電池から利用可能なエネルギの量の指標を含み得る。第１組のデータは、取得済みセンサメタデータ（つまり、取得済みセンサデータに関するデータ）も含み得る。例えば、第１組のデータは、身体装着デバイス内に格納された取得済みセンサデータの量の指標を含み得る。他のタイプのデータも同様に可能である。
【００８５】
[0093]  いくつかの例において、身体装着デバイスは、無線周波数放射（ＲＦ放射）を介して、および／または上述したような光調節を介して、取得済みセンサデータを外部読取装置に送信することができる。
【００８６】
[0094]  ブロック４０６において、方法は、検索された第１組のデータを使用して、条件が満たされていることを決定することを含み得る。例えば、これには、外部読取装置１９０が検索された第１組のデータを使用して、条件が満たされていることを決定することが含まれ得る。条件は、多様な形態を取り得る。例えば、条件は、身体装着デバイスが閾値量のエネルギを格納しているという条件であり得る。別の例として、条件は、身体装着デバイスが閾値量のセンサデータを格納していないという条件であってもよい。別の例では、条件は、２つ以上の下位部分を含んでもよい。例えば、条件は、（ｉ）身体装着デバイスが閾値量のエネルギを蓄積しており、かつ、（ｉｉ）身体装着デバイスが閾値量のセンサデータを格納していない、という条件であり得る。他の条件も同様に可能である。なお、特定の閾値を使用する条件については、閾値は、所望の構成に適するように異なってよい。
【００８７】
[0095]  ブロック４０８において、方法は、検索された第１組のデータを使用して条件が満たされていることを決定することに応答して、検出された身体装着デバイスから第２組のデータを検索することを含み得る。例えば、これには、外部読取装置１９０が検索された第１組のデータを使用して条件が満たされていることを決定することに応答して、外部読取装置１９０が、検出された身体装着デバイスから第２組のデータを検索することが含まれ得る。第２組のデータは、多様な形態を取り得る。第２組のデータは、身体装着デバイス内に格納された取得済みセンサデータを含み得る。
【００８８】
[0096]  図５は、本明細書に記載された少なくともいくつかの実施形態に従って、読取装置１９０を動作させる方法５００の一例を示すブロック図である。方法５００は、例えば、デバイス１１０、１１２、１９０、および／または２１０に対して使用され得る。方法５００は、ブロック５０２〜５０６の１つ以上によって例示される１つ以上の動作、機能、または行為を含み得る。ブロックは、順番に例示されているが、これらのブロックは、場合によっては、並行して実行されてもよく、かつ／または、本明細書に記載される順番とは異なる順番で実行されてもよい。また、多様なブロックは、より少ない数のブロックへと組み合わされてもよく、追加のブロックへと分割されてもよく、かつ／または所望の実施に基づいて除去されてもよい。
【００８９】
[0097]  ブロック５０２において、方法５００は、第１読取装置が、この第１読取装置の無線通信距離の範囲内の身体装着デバイスを検出することを含み得る。例えば、これには、外部読取装置１９０ａが、この外部読取装置１９０ａの無線通信距離の範囲内に身体装着デバイス１１０が存在することを検出することが含まれ得る。上述したように、身体装着デバイスは、多様な形態を取り得る。例えば、身体装着デバイスは、角膜表面上に取り外し可能に装着されるように構成された凹装着面を有する透明材料を備えた眼球装着デバイスの形態を取り得る。透明材料は、さらに、装着面と反対の表面を備え、この装着面と反対の表面は、凹面が角膜表面上に装着されている時に、眼瞼の動きに適合するように構成された凸面を備える。
【００９０】
[0098]  ブロック５０４において、方法は、第１読取装置が、検出された身体装着デバイスから第１組のデータを無線で検索することを含み得る。例えば、これには、外部読取装置１９０ａが、検出された身体装着デバイス１１０から第１組のデータを無線で検索することが含まれ得る。
【００９１】
[0099]  ブロック５０６において、方法は、第１読取装置が検索された第１組のデータをデータ収集デバイスに送信することを含み得る。例えば、これには、外部読取装置１９０ａが、検索された第１組のデータをデータ収集デバイス３０２に送信することが含まれ得る。
【００９２】
[00100]  ブロック５０８において、方法は、第２読取装置が、この第２読取装置の無線通信距離の範囲内の身体装着デバイスを検出することを含み得る。例えば、これには、第２外部読取装置１９０ｂが、この外部読取装置１９０ｂの無線通信距離の範囲内に身体装着デバイス１１０が存在することを検出することが含まれ得る。
【００９３】
[00101]ブロック５１０において、方法は、第２読取装置が、検出された身体装着デバイスから第２組のデータを無線で検索することを含み得る。例えば、これには、外部読取装置１９０ｂが、検出された身体装着デバイス１１０から第２組のデータを無線で検索することが含まれ得る。
【００９４】
[00102]  ブロック５１２において、方法は、第２読取装置が検索された第２組のデータをデータ収集デバイスに送信することを含み得る。例えば、これには、外部読取装置１９０ｂが、検索された第２組のデータをデータ収集デバイス３０２に送信することが含まれ得る。
【００９５】
[00103]  図６は、本明細書に記載された少なくともいくつかの実施形態に従って構成されたコンピュータ可読媒体の一例を示す。一例の実施形態において、一例のシステムは、１つ以上のプロセッサ、１つ以上の形態のメモリ、１つ以上の入力デバイス／インタフェース、１つ上の出力デバイス／インタフェース、および、１つ以上のプロセッサによって実行されると、システムに上述したような多様な機能、タスク、能力等を実行させる機械可読命令を備え得る。
【００９６】
[00104]  上述したように、いくつかの実施形態において、開示された技術（例えば、方法４００および５００）は、非一時的なコンピュータ可読記憶媒体に機械可読フォーマットで符号化されたコンピュータプログラム命令、または他の非一時的な媒体もしくは製品上で符号化されたプログラム命令によって実施され得る。図６は、本明細書に開示される少なくともいくつかの実施形態に従って構成された、計算デバイス上でコンピュータプロセスを実行するためのコンピュータプログラムを含むコンピュータプログラム製品の例の概念的な部分図を概略的に示している。
【００９７】
[00105]  一実施形態において、一例のコンピュータプログラム製品６００は、信号搬送媒体６０２を使用して提供される。信号搬送媒体６０２は、１つ以上のプロセッサにより実行されると、図１〜５を参照して上述した機能性または該機能性の一部を提供し得る１つ以上のプログラム命令６０４を含み得る。いくつかの例において、信号搬送媒体６０２は、ハードディスクドライブ、コンパクトディスク（ＣＤ）、デジタルビデオディスク（ＤＶＤ）、デジタルテープ、メモリ等の（これらに限定されない）非一時的なコンピュータ可読媒体６０６を含み得る。いくつかの実施において、信号搬送媒体６０２は、メモリ、読出し／書込み用（Ｒ／Ｗ）ＣＤ、Ｒ／Ｗ  ＤＶＤ等の（これらに限定されない）コンピュータ記録可能媒体６０８であり得る。いくつかの実施において、信号搬送媒体６０２は、通信媒体６１０（例えば、光ファイバケーブル、導波管、有線通信リンク、無線通信リンク等）であり得る。したがって、例えば、信号搬送媒体６０２は、無線形態の通信媒体６１０により搬送され得る。
【００９８】
[00106]  １つ以上のプログラム命令６０４は、例えば、コンピュータ実行可能なおよび／または論理実施可能な命令であり得る。いくつかの例において、図１のプロセッサを装備した外部読取装置１９０のような計算デバイスは、コンピュータ可読媒体６０６、コンピュータ記録可能媒体６０８、および／または通信媒体６１０の１つ以上によって計算デバイスに搬送されたプログラム命令６０４に応答して多様な動作、機能、または行為を提供するように構成される。
【００９９】
[00107]  非一時的なコンピュータ可読媒体６０６は、互いに距離を置いて置かれ得る複数のデータ記憶要素の間で分散され得る。格納された命令の一部または全部を実行する計算デバイスは、図１に例示された外部読取装置１９０等の外部読取装置、またはスマートフォン、タブレットデバイス、パーソナルコンピュータ、頭部装着デバイス等の別のモバイル計算プラットフォームであり得る。あるいは、格納された命令の一部または全部を実行する計算デバイスは、距離を置いて置かれたサーバ等の計算システムであり得る。例えば、コンピュータプログラム製品６００は、図１〜５の記載において説明された機能性を実施することができる。
【０１００】
[00108]  本明細書に記載された構成は、例示のみを目的としていることを理解されたい。したがって、当業者には当然のことながら、他の構成および他の要素（例えば、機械、インタフェース、機能、順序、および機能の集合等）を代わりに使用することができ、一部の要素は、所望の結果に応じて完全に省略することができる。さらに、記載された要素の多くは、任意の好適な組み合わせおよび配置において、別個のコンポーネントもしくは分散されたコンポーネントとして実施されてもよく、または、他のコンポーネントと共に実施されてもよく、あるいは、独立した構造として記載された他の構造的な要素が組み合わされてもよい。
【０１０１】
[00109]  実施形態例が人または人のデバイスに関連する情報を含む場合、一部の実施形態は、プライバシーコントロールを備えてもよい。このプライバシーコントロールは、少なくとも、デバイス識別子の非特定化、透過性、および、ユーザが該ユーザの製品の使用に関連する情報を修正または削除することができる機能を含むユーザコントロールを含み得る。
【０１０２】
[00110]  さらに、本明細書で説明された実施形態が複数のユーザに関する個人情報を収集する状況、または個人情報を利用し得る状況においては、ユーザは、ユーザの情報（例えば、ユーザの病歴、ソーシャルネットワーク、社会的活動もしくは行為、職業、ユーザの嗜好、またはユーザの現在の位置等の情報）をプログラムまたは機構が収集するか否かを管理する機会、および、個人情報が使用されるか否か、または個人情報をどのように受信するかを管理する機会が与えられてもよい。さらに、所定のデータは、個人的に識別可能な情報が除去されるように、格納または使用前に一通り以上の方法で扱われ得る。例えば、ユーザの識別情報は、ユーザに関して個人的に識別可能な情報が特定され得ないように扱われ得る。あるいは、ユーザの地理的位置は、ユーザの特定の位置が特定され得ないように、位置情報が取得される場所（市、郵便番号、州といったレベル）に一般化され得る。したがって、ユーザは、ユーザに関する情報がどのように収集され、収集された情報がどのように使用されるかを管理することができる。
【０１０３】
[00111]本明細書において、多様な態様および実施形態を開示したが、他の態様および実施形態も当業者には明らかであろう。本明細書で開示された多様な態様および実施形態は、例示を目的としており、限定を意図したものではない。本発明の真の範囲は、以下の請求の範囲により、該請求の範囲に包含される均等物の全範囲と共に、示されるものである。また、本明細書で使用される用語は、特定の実施形態のみを説明することを目的としており、限定を意図したものではないことも理解されたい。
【図１】
0006473752.tif 000002
【図２Ａ】
0006473752.tif 000003
【図２Ｂ】
0006473752.tif 000004
【図２Ｃ】
0006473752.tif 000005
【図２Ｄ】
0006473752.tif 000006
【図３】
0006473752.tif 000007
【図４】
0006473752.tif 000008
【図５】
0006473752.tif 000009
【図６】
0006473752.tif 000010